(57)【要約】【課題】簡単な構造の取付金具で手掛かり棒を起立姿勢に突出させることができる可搬式作業台を提供する。【解決手段】手掛かり棒５の下端部には、ピン基端側に把手２３を形成したロックピン１２が貫通されると共に、ピン先端部１２ａが前記溝部８のピン先端側ロック孔９ａ，９ｂに突入する方向にバネ１４で付勢され、手掛かり棒５の下端部５ａが溝部８の上半部Ａに嵌合した状態でピン先端部１２ａをピン先端側ロック孔９ａに突入することにより手掛かり棒５を起立姿勢に固定し、前記バネ１４に抗して把手２３を引っ張ってロックピン１２をロック解除した状態で手掛かり棒５を下方へ回転して下端部５ａを溝部８の下半部Ｂに嵌合し、ピン先端部１２ａをピン先端側ロック孔９ｂに突入することによって手掛かり棒５を折畳姿勢に固定するようになっている。【選択図】図３
2011058209.tif 000002
【特許請求の範囲】
【請求項１】
天板の前後両端に脚体が折り畳み可能に設けられ、各脚体は左右一対の脚柱と両脚柱間に横架した踏桟とからなり、脚体には天板より上方に突出する手掛かり棒が設けられた可搬式作業台において、脚柱の上端部側に、上下方向に溝部を形成すると共に溝部の上下両端部にピン先端側ロック孔を形成した取付金具が固定され、取付金具の溝部には中央部に手掛かり棒の下端が枢支軸によって上下方向回転可能に枢着され、溝部の上半部には天板上方に起立姿勢で突出する手掛かり棒の下端部が嵌合され、溝部の下半部には起立姿勢から反転して脚柱沿いに折り畳まれた手掛かり棒の下端部が嵌合されるようになっており、手掛かり棒の下端部には、ピン基端側に把手を形成したロックピンが貫通されると共に、ピン先端部が前記溝部のピン先端側ロック孔に突入する方向にバネで付勢され、しかして手掛かり棒の下端部が溝部の上半部に嵌合した状態でピン先端部をピン先端側ロック孔に突入することにより手掛かり棒を起立姿勢に固定し、前記バネに抗して把手を引っ張ってロックピンをロック解除した状態で手掛かり棒を下方へ回転して下端部を溝部の下半部に嵌合し、ピン先端部をピン先端側ロック孔に突入することによって手掛かり棒を折畳姿勢に固定するようにした可搬式作業台。
【請求項２】
ロックピンの把手はロックピンの基端部に略Ｕ字状に形成され、このＵ字状把手の先端部は、手掛かり棒の下端部が溝部の上半部に嵌合した時に、前記溝部の上端側に設けられたピン基端側ロック孔に突入するようになっている請求項１に記載の可搬式作業台。
【請求項３】
ロックピンの把手はロックピンの基端部に略Ｕ字状に形成され、このＵ字状把手の先端部は、手掛かり棒の下端部が溝部の上半部及び下半部に嵌合した時に、前記溝部の上端側及び下端側に設けられたピン基端側ロック孔に突入するようになっている請求項１に記載の可搬式作業台。
【請求項４】
手掛かり棒の枢支軸は、手掛かり棒を左右方向に貫通すると共に取付金具の両側板を貫通していて、取付金具の両側板のうち脚柱と隣接するがわの側板と反対側の側板の外側に突出する枢支軸の外端部には、作業台が横転した時に枢支軸が受ける衝撃を緩和するためのクッション部材が取り付けられている請求項１〜３の何れかに記載の可搬式作業台。
【発明の詳細な説明】
【技術分野】
【０００１】
本発明は、建物の建設現場等において天井の内装仕上げや天井内の配線、配管等の比較的高い場所で作業を行う時に使用する作業台に関するもので、特に、天板の前後両端に脚体が折り畳み可能に設けられ、各脚体は左右一対の脚柱と両脚柱間に横架された踏桟とからなり、脚体には天板より上方に突出する手掛かり棒が設けられた昇降補助用の可搬式の作業台に関する。
【背景技術】
【０００２】
天板より上方に突出する手掛かり棒が設けられた従来の可搬式作業台として、例えば下記特許文献１に記載されたものがある。この作業台では、手掛かり棒を、脚柱に沿う折り畳み状態と最上部の枢支点より上方に突出する伸展状態とにわたって回動可能に枢着し、手掛かり棒が最上部の枢支点より上方に突出する伸展状態にあっては、手掛かり棒は脚柱が前後方向に傾斜するにもかかわらず起立状態に伸展され、手掛かり棒が脚柱に沿う折り畳み状態にあっては、手掛かり棒は脚柱の前後方向の傾斜角度面に合わせて折り畳まれるよう手掛かり棒の回転軌跡を矯正する手段を設けてなるものである。
【先行技術文献】
【特許文献】
【０００３】
【特許文献１】特開平１１−１３１７８８号公報
【発明の概要】
【発明が解決しようとする課題】
【０００４】
上記特許文献に記載されているような作業台は、手掛かり棒の取付構造が非常に複雑で部品点数が多くなり、製作コストが高くつくという難点があった。
【０００５】
本発明は、上記の課題に鑑み、簡単な構造の取付金具によって手掛かり棒を使用位置と折畳位置とに位置変更可能な可搬式作業台を提供することを目的としている。
【課題を解決するための手段】
【０００６】
上記課題を解決するための手段を、後述する実施形態の参照符号を付して説明すると、請求項１に係る発明は、天板１の前後両端に脚体２，２が折り畳み可能に設けられ、各脚体２は左右一対の脚柱２ａ，２ａと両脚柱２ａ，２ａ間に横架された踏桟２ｂとからなり、脚体２には天板１より上方に突出する手掛かり棒５が設けられた可搬式作業台において、脚柱２ａの上端部側に、上下方向に溝部８を形成すると共に溝部８の上下両端部にピン先端側ロック孔９ａ，９ｂを形成した取付金具６が固定され、取付金具６の溝部８には中央部に手掛かり棒５の下端５ｏが枢支軸１１によって上下方向回転可能に枢着され、溝部８の上半部Ａには天板１上方に起立姿勢で突出する手掛かり棒５の下端部５ａが嵌合され、溝部８の下半部Ｂには起立姿勢から反転して脚柱２ａ沿いに折り畳まれた手掛かり棒５の下端部５ａが嵌合されるようになっており、手掛かり棒５の下端部には、ピン基端側に把手２３を形成したロックピン１２が貫通されると共に、ピン先端部１２ａが前記溝部８のピン先端側ロック孔９ａ，９ｂに突入する方向にバネ１４で付勢され、しかして手掛かり棒５の下端部５ａが溝部８の上半部Ａに嵌合した状態でピン先端部１２ａをピン先端側ロック孔９ａに突入することにより手掛かり棒５を起立姿勢に固定し、前記バネ１４に抗して把手２３を引っ張ってロックピン１２をロック解除した状態で手掛かり棒５を下方へ回転して下端部５ａを溝部８の下半部Ｂに嵌合し、ピン先端部１２ａをピン先端側ロック孔９ｂに突入することによって手掛かり棒５を折畳姿勢に固定するようにしたことを特徴とする。
【０００７】
請求項２は、請求項１に記載の可搬式作業台において、ロックピン１２の把手２３はロックピン１２の基端部に略Ｕ字状に形成され、このＵ字状把手２３の先端部１２ｂは、手掛かり棒５の下端部５ａが溝部８の上半部Ａに嵌合した時に、前記溝部８の上端側に設けられたピン基端側ロック孔２４ａに突入するようになっていることを特徴とする。
【０００８】
請求項３は、請求項１に記載の可搬式作業台において、ロックピン１２の把手２３はロックピンの基端部に略Ｕ字状に形成され、このＵ字状把手２３の先端部１２ｂは、手掛かり棒５の下端部５ａが溝部８の上半部Ａ及び下半部Ｂに嵌合した時に、前記溝部８の上端側及び下端側に設けられたピン基端側ロック孔２４ａ，２４ｂに突入するようになっていることを特徴とする。
【０００９】
請求項４は、請求項１〜３の何れかに記載の可搬式作業台において、手掛かり棒５の枢支軸１１は、手掛かり棒５を左右方向に貫通すると共に取付金具６の両側板６ａ，６ｂを貫通していて、取付金具６の両側板６ａ，６ｂのうち脚柱２ａと隣接するがわの側板６ａと反対側の側板６ｂの外側に突出する枢支軸１１の外端部には、作業台が横転した時に枢支軸１１が受ける衝撃を緩和するためのクッション部材１７が取り付けられていることを特徴とする。
【発明の効果】
【００１０】
上記解決手段による発明の効果を、後述する実施形態の参照符号を付して説明すると、請求項１に係る発明によれば、上下方向に溝部８を形成した簡単な構造の取付金具６に手掛かり棒５を上下方向回転可能に枢着し、この手掛かり棒５の下端部にロックピン１２を設けると共に、このロックピン１２をピン先端部１２ａがピン先端側ロック孔９ａ，９ｂに突入する方向にバネ１４で付勢したもので、手掛かり棒５の下端部５ａが溝部８の上半部Ａに嵌合した時にピン先端部１２ａをピン先端側ロック孔９ａに突入することによって手掛かり棒５を起立姿勢に固定し、またバネ１４に抗し把手２３を引っ張ってロックピン１２をロック解除した状態で手掛かり棒５を下方へ回転して下端部５ａを溝部８の下半部Ｂに嵌合した時にピン先端部１２ａをピン先端側ロック孔９ｂに突入することにより手掛かり棒５を折畳姿勢に固定するようにしたから、手掛かり棒５を起立姿勢の使用位置に簡単容易に固定することができると共に、折畳姿勢での収納位置に簡単容易に固定することができる。
【００１１】
請求項２に係る発明によれば、ロックピン１２の把手２３はロックピン１２の基端部に略Ｕ字状に形成され、このＵ字状把手２３の先端部１２ｂは、手掛かり棒５の下端部５ａが溝部８の上半部Ａに嵌合した時に、溝部８の上端側のピン基端側ロック孔２４ａに突入するようになっているから、手掛かり棒５の下端部５ａを溝部８の上半部Ａに嵌合させた状態で、ピン先端部１２ａを溝部８の上端側のピン先端側ロック孔９ａに突入すると共に、Ｕ字状把手２３の先端部１２ｂを溝部８の上端側のピン基端側ロック孔２４ａに突入することによって、手掛かり棒５を起立姿勢の使用状態で安定良く且つ堅固に固定することができる。
【００１２】
請求項３に係る発明によれば、ロックピン１２の把手２３はロックピン１２の基端部に略Ｕ字状に形成され、このＵ字状把手２３の先端部１２ｂは、手掛かり棒５の下端部５ａが溝部８の上半部Ａ及び下半部Ｂに嵌合した時に、溝部８の上端側及び下端側に設けられたピン基端側ロック孔２４ａ，２４ｂに突入するようになっているから、手掛かり棒５の下端部５ａを溝部８の上半部Ａに嵌合させた状態で、ピン先端部１２ａを溝部８の上端側のピン先端側ロック孔９ａに突入すると共に、Ｕ字状把手２３の先端部１２ｂを溝部８の上端側のピン基端側ロック孔２４ａに突入することにより、手掛かり棒５を起立姿勢の使用状態でより安定良く且つ堅固に固定でき、また手掛かり棒５の下端部５ａが溝部８の下半部Ｂに嵌合した状態で、ピン先端部１２ａを溝部８の下端側のピン先端側ロック孔９ｂに突入すると共に、Ｕ字状把手２３の先端部１２ｂを溝部８の下端側のピン基端側ロック孔２５ａに突入することによって、手掛かり棒５を折畳姿勢の収納位置に安定良く堅固に固定することができる。
【００１３】
請求項４に係る発明によれば、角筒状手掛かり棒５の下端部５ａを左右方向に貫通すると共に、取付金具６の左右両側壁を貫通していて、この取付金具６の左右両側壁のうち脚柱２ａと隣接する側と反対側の側壁を貫通する枢支軸１１の外端部にクッション部材１７が取り付けてあるから、このクッション部材１７によって、作業台が横転した時に作業台が受ける衝撃を緩和すると共に、作業台の破損を防止することができる。
【図面の簡単な説明】
【００１４】
【図１】本発明に係る作業台の正面図である。
【図２】同作業台の側面図である。
【図３】手掛かり棒が起立姿勢に固定されている状態を示す斜視図である。
【図４】手掛かり棒が折畳姿勢に固定されている状態を示す斜視図である。
【図５】取付金具による手掛かり棒下端部の取付部分の拡大側面図である。
【図６】取付金具による手掛かり棒下端部の取付部分の拡大正面図である。
【図７】(a) はロックピンをロックした状態を示す平面図、(b) はロックピンをロック解除した状態を示す平面図である。
【発明を実施するための形態】
【００１５】
以下に本発明の好適な一実施形態を図面に基づいて説明すると、図１及び図２に示す作業台において、天板１の左右両端には、夫々梯子状の脚体２，２が、回転金具３により、図示しないが、天板１下面に平行に沿うように折り畳んだ閉脚状態と、図１に示すような下広がり状に傾斜して起立した開脚状態との間で開閉可能に設けられ、天板１と各脚体２との間には途中で屈曲自在なステイ４が介装されている。各脚体２は、図２に示すように下広がり状に配置された左右一対の脚柱２ａ，２ａと、両脚柱２ａ，２ａ間に複数段に横架した踏桟２ｂとからなるもので、各脚柱２ａの上端部に、天板１よりも上方に突出する昇降案内用の手掛かり棒５が取付金具６によって取り付けられている。
【００１６】
取付金具６は、図２及び図５に示すように、脚柱２ａの上端部にスペーサ金具７を介して固定されている。この場合、脚体２を形成する左右の脚柱２ａ，２ａは下広がり状に配置されて、各脚柱２ａが一定角度傾斜しているため、図５に示すように、所定角度のスペーサ金具７を介して取付金具６を脚柱２ａに対し所定角度傾斜させて取り付けると共に、手掛かり棒５の下端部５ａをその上方部に対し所定角度傾斜させた状態に形成することによって、手掛かり棒５を天板１より上方に起立姿勢で突出伸展できるようにしている。
【００１７】
この取付金具６は、図３〜図６に示すように、両側板６ａ，６ｂと背面板６ｃとにより側面視が略くの字状を成して上下方向に延びる溝部８を形成するように脚柱２ａにスペーサ金具７を介して取り付けられている。その溝部８を形成する片方の側板６ａ（脚柱２ａに隣接する方の側板６ａ）の上端部及び下端部にピン先端側ロック孔９ａ，９ｂが設けられ、反対側の側板６ｂ（脚柱２ａから遠い方の側板６ｂ）の上端部は一部切除されて（その切除部をＳａで示す）、前記ロック孔９ａと対向する部位に半円状のピン係合部１０ａが形成され、同側板６ｂの上端部も同様に一部切除されて（その切除部をＳｂで示す）、前記ロック孔９ｂと対向する部位に半円状のピン係合部１０ｂが形成されている。
【００１８】
尚、取付金具６は、楔状のスペーサ金具７を介して脚柱２ａの上端部に取り付けられるが、このスペーサ金具７は、回転金具３を脚柱２ａに取り付ける際に回転金具３と一緒に脚柱２ａに取り付けられるもので、図５に示すように、脚柱２ａ、回転金具３及びスペーサ金具７を貫通するボルト挿通孔２０にボルト２１を通して、スペーサ金具７に固定されたナット２２にねじ込むことにより取り付けられる。そして、取付金具６は、片方の側板６ａをスペーサ金具７に溶接又はリベット止めすることによって取り付けられる。
【００１９】
そして、取付金具６の溝部８には上下方向中央部に、手掛かり棒５の下端５ｏが枢支軸１１によって上下方向回転可能に枢着され、この溝部８の上半部Ａには、天板１の上方に起立姿勢で突出する手掛かり棒５の下端部５ａが図３、図５及び図６に示すように嵌合され、溝部８の下半部Ｂには、図４の実線図示及び図６の仮想線図示のように起立姿勢から反転して脚柱２ａ沿いに折り畳まれた手掛かり棒５の下端部５ａが嵌合されるようになっている。
【００２０】
手掛かり棒５の下端部５ａには、図３〜図７に示すように、ピン基端側に略Ｕ字状の把手２３を形成したロックピン１２が、角筒状の手掛かり棒５を形成する左右側壁ｍ，ｎにスライド可能に貫通され、このロックピン１２は、手掛かり棒５との間に介装されたコイルバネ１４によって、ピン先端部１２ａが取付金具側板６ａの上端部及び下端部のピン先端側ロック孔９ａ，９ｂに突入する方向に付勢されている。従って、手掛かり棒５の下端部５ａが図３に示すように溝部８の上半部Ａに嵌合した状態で、ピン先端部１２ａを側板６ａの上端部のピン先端側ロック孔９ａに突入させることによって手掛かり棒５を起立姿勢に固定し、またコイルバネ１４の付勢力に抗して把手２３を手前側へ引っ張ることによりロックピン１２をロック解除し、この状態で手掛かり棒５を下方へ回転して下端部５ａを溝部８の下半部Ｂに嵌合し、ピン先端部１２ａを側板６ａの下端部のピン先端側ロック孔９ｂに突入することによって手掛かり棒５を折畳姿勢に固定することができる。
【００２１】
また、図３、図４、図６及び図７に示すように、ロックピン１２の基端側にあるＵ字状把手２３の先端部１２ｂが突入するピン基端側ロック孔２４ａ，２５ａを形成した取付片２４，２５が、取付金具６の溝部８を形成する側板６ｂの上下両端側に取り付けてある。この場合、上下の取付片２４，２５は、図７から分かるように、側板６ｂと面一の状態で背面板６ｃの上下端部に夫々例えば溶接によって固着されている。
【００２２】
従って、手掛かり棒５の下端部５ａが溝部８の上半部Ａに嵌合した状態で、ピン先端部１２ａを側板６ａ上端部のピン先端側ロック孔９ａに突入すると共に、Ｕ字状把手２３の先端部１２ｂを側板６ｂの上端部側のピン基端側ロック孔２４ａに突入することにより、手掛かり棒５を起立姿勢の使用状態で安定良く堅固に固定することができる。また手掛かり棒５の下端部５ａが溝部８の下半部Ｂに嵌合した状態で、ピン先端部１２ａを側板６ａ下端部のピン先端側ロック孔９ｂに突入すると共に、Ｕ字状把手２３の先端部１２ｂを側板６ｂの下端部側のピン基端側ロック孔２５ａに突入することによって、手掛かり棒５を起立姿勢の使用状態で安定良く堅固に固定することができる。
【００２３】
尚、取付金具６の溝部８を形成する側板６ｂの上端部は一部分切除されて、その切除部Ｓａには、手掛かり棒５の下端部５ａが溝部８の上半部Ａに嵌合した時にロックピン１２の基端側が係合する半円状のピン係合部１０ａが形成され、また同側板６ｂの上端部も同じ様に一部分切除されて、その切除部Ｓｂには、手掛かり棒５の下端部５ａが溝部８の下半部Ｂに嵌合した時にロックピン１２の基端側が係合する半円状のピン係合部１０ｂが形成されている。上端側切除部Ｓａは、溝部８の上半部Ａに嵌合した手掛かり棒５を下方へ回転させる時に、手掛かり棒５と共に旋回移動するロックピン１２の基端部側が側板６ｂの上端部からスムーズに抜け出るようにするものであり、下端側切除部Ｓｂは、溝部８の下半部Ｂに嵌合した手掛かり棒５を上方へ回転させる時に、ロックピン１２の基端部側が側板６ｂの下端部からスムーズに抜け出るようにするものである。
【００２４】
前記コイルバネ１４は、図７の(a) ，(b) に示すように、ロックピン１２に嵌め込まれて、ロックピン１２の先端側に取り付けられた固定ピン２６と、手掛かり棒５の側壁ｍとの間に介装されたもので、このばね１４の付勢力によって、ロックピン１２を取付金具６のピン先端側ロック孔９ａ，９ｂに突入する方向に付勢している。
【００２５】
また、手掛かり棒５の下端５ｏを取付金具６に上下方向回転可能に枢着する枢支軸１１はボルトからなるもので、図５に示すように、角筒状手掛かり棒５の左右両側壁ｍ，ｎを貫通すると共に、取付金具６の両側板６ａ，６ｂを貫通していて、この取付金具６の両側板６ａ，６ｂのうちの脚柱２ａに隣接する側の側板６ａと反対側の側板６ｂの外側に突出するボルト頭部１１ａには合成ゴムなどの弾性材料からなるクッション部材１７が、この枢支軸１１の外端部を被うように取り付けられている。このクッション部材１７を枢支軸１１の外端部にこれを被うように取り付けたことにより、作業台が横転した時に作業台が受ける衝撃を緩和すると共に、作業台の破損を防止することができる。脚柱２ａと隣接するがわの側板６ａから突出する枢支軸１１の先端部にはナット１８が螺着されている。
【００２６】
次に、上述した手掛かり棒５の使用方法について説明する。
先ず、図４に示すように手掛かり棒５が取付金具６の溝部８の下半部Ｂに嵌合してロックピン１２がロックされた状態から、コイルバネ１４の付勢力に抗してロックピン１２の把手２３を手前側へ引っ張って、ピン先端部１２ａを側板６ａ下端部のピン先端側ロック孔９ｂから引き抜き且つ把手２３の先端部１２ｂをピン基端側ロック孔２５ａから引き抜いて折畳姿勢での手掛かり棒５のロックを解除し、図７の(b) に示すようなロック解除状態で枢支軸１１を中心に手掛かり棒５を上方に回転させる。
【００２７】
上記のようにロック解除状態で手掛かり棒５を枢支軸１１を中心に上方への回転させてその下端部５ａを溝部８の上半部Ａに嵌合した後、それまで引っ張っていたロックピン１２の把手２３を緩めながら、ピン先端部１２ａを側板６ａの上端部のピン先端側ロック孔９ａに突入させると共に、把手２３の先端部１２ｂを側板６ｂの上端部側のピン基端側ロック孔２４ａに突入させることによって、手掛かり棒５を起立姿勢に固定する。この状態を図３及び図６に示す。
【００２８】
手掛かり棒５を収納する時は、図３及び図６の実線図示の状態から、コイルバネ１４の付勢力に抗してロックピン１２の把手２３を手前側へ引っ張って、ピン先端部１２ａを側板６ａ上端部のピン先端側ロック孔９ａから引き抜き且つ把手２３の先端部１２ｂをピン基端側ロック孔２４ａから引き抜いて起立姿勢での手掛かり棒５のロックを解除し、このロック解除状態で、枢支軸１１を中心に手掛かり棒５を下方に回転させて、その下端部５ａを溝部８の下半部Ｂに嵌合し、ロックピン１２の把手２３を緩めながら、ピン先端部１２ａを側板６ａの下端部のピン先端側ロック孔９ｂに突入させると共に、把手２３の先端部１２ｂを側板６ｂの下端部側のピン基端側ロック孔２５ａに突入させることによって、手掛かり棒５を起立姿勢に固定する。
【００２９】
以上説明したような作業台によれば、上下方向の溝部８を形成した簡単な構造の取付金具６に手掛かり棒５の下端５ｏを上下方向回転可能に枢着し、この手掛かり棒５の下端部にロックピン１２を設けると共に、このロックピン１２をピン先端部１２ａがピン先端側ロック孔９ａ，９ｂに突入する方向にバネ１４で付勢したもので、手掛かり棒５の下端部５ａが溝部８の上半部Ａに嵌合した状態でピン先端部１２ａをピン先端側ロック孔９ａに突入することにより手掛かり棒５を起立姿勢に固定し、またバネ１４に抗して把手２３を引っ張ってロックピン１２をロック解除した状態で手掛かり棒５を下方へ回転して下端部５ａを溝部８の下半部Ｂに嵌合し、ピン先端部１２ａをピン先端側ロック孔９ｂに突入することによって手掛かり棒５を折畳姿勢に固定するようにしたから、手掛かり棒５を起立姿勢の使用位置に簡単容易に固定することができると共に、折畳姿勢での収納位置に簡単容易に固定することができる。
【００３０】
また、ロックピン１２の把手２３は、ロックピン１２の基端部に略Ｕ字状に形成され、このＵ字状把手２３の先端部１２ｂは、手掛かり棒５の下端部５ａが溝部８の上半部Ａに嵌合した時に、側板６ｂの上端側のピン基端側ロック孔２４ａに突入するようになっているから、手掛かり棒５の下端部５ａを溝部８の上半部Ａに嵌合させた状態で、ピン先端部１２ａを側板６ａ上端部のピン先端側ロック孔９ａに突入すると共に、Ｕ字状把手２３の先端部１２ｂを側板６ｂの上端部側のピン基端側ロック孔２４ａに突入することにより、手掛かり棒５を起立姿勢の使用状態で安定良く且つ堅固に固定することができる。
【００３１】
また、Ｕ字状把手２３の先端部１２ｂは、手掛かり棒５の下端部５ａが溝部８の上半部Ａ及び下半部Ｂに嵌合した時に、側板６ｂの上端側及び下端側に設けられたピン基端側ロック孔２４ａ，２４ｂに突入するようになっているから、手掛かり棒５の下端部５ａが溝部８の下半部Ｂに嵌合した状態で、ピン先端部１２ａを側板６ａ下端部のピン先端側ロック孔９ｂに突入すると共に、Ｕ字状把手２３の先端部１２ｂを側板６ｂの下端部側のピン基端側ロック孔２５ａに突入することによって、手掛かり棒５を起立姿勢の使用状態で安定良く堅固に固定することができる。
【符号の説明】
【００３２】
１            天板
２            脚体
２ａ          脚柱
５            手掛かり棒
５ｏ          手掛かり棒の下端
５ａ          手掛かり棒の下端部
６            取付金具
８            溝部
Ａ            溝部の上半部
Ｂ            溝部の下半部
９ａ          ピン先端側ロック孔
９ｂ          ピン先端側ロック孔
１１          枢支軸
１２          ロックピン
１７          クッション部材
２４ａ        ピン基端側ロック孔
２４ｂ        ピン基端側ロック孔
【図１】
2011058209.tif 000003
【図２】
2011058209.tif 000004
【図３】
2011058209.tif 000005
【図４】
2011058209.tif 000006
【図５】
2011058209.tif 000007
【図６】
2011058209.tif 000008
【図７】
2011058209.tif 000009